(57)【要約】【課題】  効率よく潅水することができるラベル付き植木鉢およびラベルを提供する。【解決手段】  側壁部２１の上端部２１ａが開口部２５の縁となっている植木鉢２０と植木鉢２０に着脱可能なラベル３０を備えたラベル付き植木鉢１０において、ラベル３０はラベル本体３１とラベル本体３１と一体に形成された取付部３５とを有し、ラベル本体３１の両方の側部には折曲片３２、３３が連設され、取付部３５を植木鉢２０の側壁部２１に取付けたときに、各折曲片３２、３３の下端部は側壁部２１の内面に沿って配設されること。【選択図】        図１
2007104961.tif 000002
【特許請求の範囲】
【請求項１】
側壁部の上端部が開口部の縁となっている植木鉢とこの植木鉢に着脱可能なラベルを備えたラベル付き植木鉢において、
前記ラベルはラベル本体とこのラベル本体と一体に形成された取付部とを有し、
前記ラベル本体の両方の側部には折曲片が連設され、
前記取付部が前記側壁部に取付けられたときに、前記各折曲片の下端部は前記側壁部の内面に沿って配設されることを特徴とするラベル付き植木鉢。
【請求項２】
請求項１記載のラベル付き植木鉢であって、
前記取付部を前記側壁部に取付ける取付機構が形成され、
前記取付機構として、前記ラベルの取付部は可撓性ある板状のものであり、差込部とこの差込部の両側部の各々に連設された係合部を有し、
前記側壁部にその外面から窪んだ凹部が形成され、この凹部の内面は前記側壁部の前記凹部以外の部分の内面から突出する凸部を形成し、
前記凸部の上端部には前記差込部が挿通可能な挿通用孔が形成され、
前記凸部の両方の側端部の各々に係合用孔が形成され、
前記差込部および各係合部が前記開口部側から前記挿通用孔に差し込まれたときに、前記各係合部が前記各係合用孔に係合することを特徴とするラベル付き植木鉢。
【請求項３】
請求項１または２に記載のラベル付き植木鉢であって、
前記取付部が前記側壁部に取付けられたときに、
前記ラベルのラベル本体の下端部が前記取付部の両側において前記側壁部の内面に沿って配設されることを特徴とするラベル付き植木鉢。
【請求項４】
ラベル本体とこのラベル本体と一体に形成された取付部とを有し、
前記ラベル本体の両方の側部には折曲片が連設され、
前記取付部が植木鉢の側壁部に取付けられたときに、前記各折曲片の下端部は前記側壁部の内面に沿って配設されることを特徴とするラベル。
【発明の詳細な説明】
【技術分野】
【０００１】
本発明は、植物を栽培するラベル付き植木鉢（育苗ポット、複数の植木鉢が連結されているもの等を含む。）およびラベルに関し、特に、潅水が容易なラベル付き植木鉢およびラベルに関するものである。
【背景技術】
【０００２】
従来、植物を栽培する植木鉢が用いられている。植木鉢は円筒形の鉢状の器等であり、植木鉢の側壁部の上端部が開口部の縁となっている（例えば特許文献１、特許文献２参照）。そして、植木鉢に用土を詰めて、この用土により植物を栽培している。
【特許文献１】特開２００４−２１５６７２号公報
【特許文献２】特開２００５−１９２５１３号公報
【発明の開示】
【発明が解決しようとする課題】
【０００３】
しかし、上述の従来例では、植木鉢は、その開口部が狭いので、散水ノズル等により植木鉢に効率よく潅水することが容易ではなかった。このため、植木鉢に潅水するときの潅水時間が長くなるとともに、特に、植木鉢内の用土に植えた植物の葉が茂っている場合に、散水ノズル等により植木鉢に潅水するときに、植木鉢の用土に入らずに無駄になる水が多いという問題があった。
そこで、本発明が解決しようとする課題は、効率よく潅水することができるラベル付き植木鉢およびラベルを提供することである。
【課題を解決するための手段】
【０００４】
上記課題を解決するため、請求項１記載の発明は、側壁部の上端部が開口部の縁となっている植木鉢とこの植木鉢に着脱可能なラベルを備えたラベル付き植木鉢において、前記ラベルはラベル本体とこのラベル本体と一体に形成された取付部とを有し、前記ラベル本体の両方の側部には折曲片が連設され、前記取付部が前記側壁部に取付けられたときに、前記各折曲片の下端部は前記側壁部の内面に沿って配設されることを特徴とするラベル付き植木鉢である。
これにより、ラベルの取付部が植木鉢の側壁部に取付けられたときに、ラベルのラベル本体に連設された各折曲片の下端部は前記側壁部の内面に沿って配設されるので、前記各折曲片が前記側壁部の内面に沿って、かつ、その内面の上方に延びるように配設される。このため、前記ラベル付き植木鉢に散水ノズル等により潅水するときに、散水ノズル等から放出された水が前記側壁部の内面、前記ラベル本体および各折曲片に当って前記植木鉢の開口部から前記植木鉢の中に落下する。
【０００５】
さらに、請求項２記載の発明は、請求項１記載のラベル付き植木鉢であって、前記取付部を前記側壁部に取付ける取付機構が形成され、前記取付機構として、前記ラベルの取付部は可撓性ある板状のものであり、差込部とこの差込部の両側部の各々に連設された係合部を有し、前記側壁部にその外面から窪んだ凹部が形成され、この凹部の内面は前記側壁部の前記凹部以外の部分の内面から突出する凸部を形成し、前記凸部の上端部には前記差込部が挿通可能な挿通用孔が形成され、前記凸部の両方の側端部の各々に係合用孔が形成され、前記差込部および各係合部が前記開口部側から前記挿通用孔に差し込まれたときに、前記各係合部が前記各係合用孔に係合することを特徴とするラベル付き植木鉢である。
これにより、前記取付機構として、前記側壁部にその外面から窪んだ凹部が形成され、この凹部の内面は前記側壁部の前記凹部以外の部分の内面から突出する凸部を形成し、前記凸部の上端部には挿通用孔が形成され、前記凸部の両方の側端部の各々に係合用孔が形成され、ラベルの可撓性ある板状の取付部の差込部および各係合部がその可撓性により前記開口部側から前記挿通用孔に差し込まれたときに、前記差込部の両側部に連設された各係合部が前記凸部の両側部の各係合用孔に係合する。
【０００６】
さらに、請求項３記載の発明は、請求項１または２に記載のラベル付き植木鉢であって、前記取付部が前記側壁部に取付けられたときに、前記ラベルのラベル本体の下端部が前記取付部の両側において前記側壁部の内面に沿って配設されることを特徴とするラベル付き植木鉢である。
これにより、ラベルの取付部が前記側壁部に取付けられたときに、前記ラベルのラベル本体が前記取付部の両側において前記側壁部の内面に沿って、かつ、その内面から上方に延びるように配設される。
【０００７】
さらに、請求項４記載の発明は、ラベル本体とこのラベル本体と一体に形成された取付部とを有し、前記ラベル本体の両方の側部には折曲片が連設され、前記取付部が植木鉢の側壁部に取付けられたときに、前記各折曲片の下端部は前記側壁部の内面に沿って配設されることを特徴とするラベルである。
これにより、ラベルの取付部を植木鉢の側壁部に取付けると、ラベルのラベル本体に連設された各折曲片の下端部は前記側壁部の内面に沿って配設されるので、前記各折曲片が前記側壁部の内面に沿って、かつ、その内面の上方に延びるように配設される。このため、請求項１記載の発明と同様に、前記植木鉢に散水ノズル等により潅水するときに、散水ノズル等から放出された水が前記側壁部の内面、前記ラベル本体および各折曲片に当って前記植木鉢の開口部から前記植木鉢の中に落下する。
【発明の効果】
【０００８】
請求項１記載の発明によれば、植木鉢に効率よく潅水することができる。
さらに、請求項２記載の発明によれば、請求項１記載の発明の効果とともに、植木鉢にラベルを着脱自在に取付けることが容易になる。
さらに、請求項３記載の発明によれば、請求項１または２記載の発明の効果とともに、ラベルのラベル本体を植木鉢の側壁部の内面に確実に取付けることができる。
さらに、請求項４記載の発明に係るラベルを植木鉢に取り付けると、植木鉢に効率よく潅水することができる。
【発明を実施するための最良の形態】
【０００９】
以下、本発明における実施の形態を図面に基づいて説明する。
図１は本発明の実施の形態に係るラベル付き植木鉢を示し、図２は図１のＡ−Ａ断面を示し、図３は図１の植木鉢のＢ−Ｂ断面を示し、図４は図１のＣ−Ｃ断面を示し、図５は図４の側壁部の凸部の上端部の平面を拡大して示す。さらに、図６は図１のラベルの下部を拡大して示し、図７は図１のラベル付き植木鉢の使用例を示す。
【００１０】
図１に示すように、ラベル付き植木鉢１０は、側壁部２１の上端部２１ａが開口部２５の縁となっている植木鉢２０とこの植木鉢２０に着脱可能なラベル３０を備えている。
ラベル３０はラベル本体３１とこのラベル本体３１と一体に形成された取付部３５（図６参照）とを有し、ラベル本体３１の両方の側部には各折曲片３２、３３が連設されている。そして、取付部３５を側壁部２１に取付ける取付機構Ｆが形成され、取付部３５が取付機構Ｆにより側壁部２１に取付けられたときに、図４に示すように、各折曲片３２、３３の下端部３２ａ、３３ａは側壁部２１の内面２１ｃに沿って配設される。
【００１１】
取付機構Ｆは以下のように構成されている。すなわち、ラベル３０の取付部３５は可撓性ある板状のものであり、差込部３６とこの差込部３６の両側部の各々に連設された各係合部３７、３８を有している。また、側壁部２１にその外面２１ｂから窪んだ凹部２２が形成され、この凹部２２の内面は側壁部２１の凹部２２以外の部分の内面２１ｃから突出する凸部２３を形成している。そして、凸部２３の上端部２３ａには差込部３６が挿通可能な挿通用孔２４ａ（図５参照）が形成され、凸部２３の両方の側端部２３ｂ、２３ｃの各々に係合用孔２４ｂ（図３参照）、２４ｃ（図２参照）が形成され、差込部３６および各係合部３７、３８がその可撓性により開口部２５側から挿通用孔２４ａに差し込まれたときに（図２参照）、図４に示すように、各係合部３７、３８が各係合用孔２４ｂ、２４ｃに係合する。凸部２３の横方向の幅２３ｗは下方になるほど広く形成されている。
また、差込部３６に上向きの舌片３９（図６参照）が形成されている。舌片３９は切込３９ａにより差込部３６と区別されている。そして、舌片３９にＴ字状の線状窪み３９ａが形成されている。この舌片３９により、挿通用孔２４ａに差し込まれた差込部３６が安定する。
【００１２】
さらに、図４に示すように、取付部３６が取付機構Ｆにより側壁部２１に取付けられたときに、ラベル３０のラベル本体３１の下端部３１ａ、３１ｂ（取付部３６の両側に形成されている。）が取付部３６の両側において側壁部２１の内面２１ｃに沿って配設される。
【００１３】
上記構成のラベル付き植木鉢１０は、以下の作用効果を奏する。
ラベル３０の取付部３５が取付機構Ｆにより植木鉢２０の側壁部２１に取付けられたときに、ラベル３０のラベル本体３１に連設された各折曲片３２、３３の下端部３２ａ、３３ａは側壁部２１の内面２１ｃに沿って配設されるので、各折曲片３２、３３が側壁部２１の内面２１ｃに沿って、かつ、その内面２１ｃの上方に延びるように配設される。
【００１４】
このため、図７に示すように、手５０で散水ノズル４０を操作して、散水ノズル４０により横方向からラベル付き植木鉢１０に潅水するときに、散水ノズル４０から放出された水４１が側壁部２１の内面２１ｃ、ラベル本体３１および各折曲片３２、３３に当って開口部２５からラベル付き植木鉢１０の中に落下するので、ラベル付き植木鉢１０に効率よく潅水することができ、横から均一に潅水することができる。
例えば、図７においては、５秒間潅水した結果、ラベル３０を装着した場合は、装着しない場合の約３倍の水がラベル付き植木鉢１０に入った。このことから、潅水時間が３分の１になり、確実にラベル付き植木鉢１０内へ水４１が流れていくので、ラベル付き植木鉢１０内の図示しない用土内で水切れを起こしにくくなる。また、前記用土の表面の置き肥が転がらない。さらに、ラベル付き植木鉢１０に植えた図示しない植物に直接水４１がかかりにくくなるので、前記植物のロス・葉焼けが減少する。
【００１５】
さらに、取付機構Ｆとして、側壁部２１にその外面２１ｂから窪んだ凹部２２が形成され、この凹部２２の内面は側壁部２１の凹部２２以外の部分の内面から突出する凸部２３を形成し、凸部２３の上端部２３ａには挿通用孔２４ａが形成され、凸部２３の両方の側端部２３ｂ、２３ｃの各々に係合用孔２４ｂ、２４ｃが形成され、ラベル３０の可撓性ある板状の取付部３５の差込部３６および各係合部３７、３８がその可撓性により開口部２５側から挿通用孔２４ａに差し込まれたときに、差込部３６の両側部に連設された各係合部３７、３８が凸部２３の両側部の各係合用孔２４ｂ、２４ｃに係合する。
【００１６】
さらに、取付機構Ｆによりラベル３０の取付部３５が側壁部２１に取付けられたときに、ラベル３０のラベル本体３１が取付部３５の両側において側壁部２１の内面２１ｃに沿って、かつ、その内面２１ｃから上方に延びるように配設される。
【００１７】
なお、上記実施の形態において、取付機構Ｆによりラベル３０の取付部３５を植木鉢２０の側壁部２１に取付けているが、これに限定されず、取付部３５を側壁部２１の内面２１ｃと植木鉢２０内の図示しない用土との間に差し込んで取付部３５を植木鉢２０の側壁部２１に取付けるようにしてもよい。
また、植木鉢２０の開口部２５の形状はほぼ四角形であるが、これに限定されず、開口部の形状を任意に設定することができる。
また、舌片３９は、なくてもよい。
また、散水ノズル４０の使用以外の方法によりラベル付き植木鉢１０に潅水することもできる。
また、植木鉢２０の側壁部２１の周囲の４箇所に凹部２２と凹部２２に対応する凸部２３が形成されているが、これに限定されず、凹部２２と凹部２２に対応する凸部２３の数を任意に設定することもできる。
【図面の簡単な説明】
【００１８】
【図１】本発明の実施の形態に係るラベル付き植木鉢を示す斜視図である。
【図２】図１のＡ−Ａ断面を示す断面図である。
【図３】図１の植木鉢のＢ−Ｂ断面を示す断面図である。
【図４】図１のＣ−Ｃ断面を示す断面図である。
【図５】図４の側壁部の凸部の上端部の平面を拡大して示す部分図である。
【図６】図１のラベルの下部を拡大して示す部分図である。
【図７】図１のラベル付き植木鉢の使用例を示す斜視図である。
【符号の説明】
【００１９】
１０  ラベル付き植木鉢
２０  植木鉢
２１  側壁部
２１ａ  上端部
２１ｂ  外面
２１ｃ  内面
２２  凹部
２３  凸部
２３ａ  上端部
２３ｂ、２３ｃ  側端部
２４ａ  挿通用孔
２４ｂ、２４ｃ  係合用孔
２５  開口部
３０  ラベル
３１  ラベル本体
３２、３３  折曲片
３５  取付部
３６  差込部
３７、３８  係合部
Ｆ  取付機構
【図１】
2007104961.tif 000003
【図２】
2007104961.tif 000004
【図３】
2007104961.tif 000005
【図４】
2007104961.tif 000006
【図５】
2007104961.tif 000007
【図６】
2007104961.tif 000008
【図７】
2007104961.tif 000009